【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  枠体と，該枠体に対して開閉可能に配設された開閉扉とを有してなる遊技機のヒンジ構造において，
上記開閉扉は，該開閉扉の上方角部に固定される扉側ヒンジ部材を有しており，該扉側ヒンジ部材は，上記開閉の開閉中心となるヒンジピンを有していると共に，該ヒンジピンの上方先端部には，該ヒンジピンの外径よりも拡径した鍔部が形成されており，
上記枠体は，該枠体の上方角部に固定される枠側ヒンジ部材と，該枠側ヒンジ部材に対して移動可能に配設されたロック部材とを有しており，
上記枠側ヒンジ部材は，上記扉側ヒンジ部材と対向するよう配設されていると共に，略水平方向に伸びた上片部と，該上片部における上記遊技機の前方側の前方端から下方に向けて屈曲した段部と，該段部の下端から上記前方側に向けて延設された下片部とを有しており，
上記下片部には，上記ヒンジピンを挿入配置できるピン挿入穴が形成されていると共に，該ピン挿入穴は，その前方側に上記ヒンジピンの外径よりも大きく上記鍔部の外径よりも小さな幅を有する幅狭部を有しており，
上記段部には，上記ピン挿入穴に連通すると共に，上記鍔部の外径よりも大きな幅を有する段部穴が形成されており，
上記ロック部材は，上記ヒンジピンを上記幅狭部内において回動可能に保持するためのピンロック部を有しており，
かつ，上記ロック部材は，上記下片部の上面において，上記ピンロック部により上記ピン挿入穴内に挿入配置された上記ヒンジピンの進退を妨げるロック位置と，上記ピンロック部による上記ヒンジピンの進退の妨げを解除して，該ヒンジピンを上記ピン挿入穴内において進退可能にするロック解除位置とに移動可能に配設されていると共に，上記ロック位置に向けて上記ロック部材を付勢する付勢バネを有しており，
上記ロック部材を上記ロック解除位置に移動させた後，上記開閉扉を上記枠体の後方側に向けて押し出すことにより，上記ヒンジピンを上記幅狭部内から上記段部穴内へ移動させて，当該開閉扉を上記枠体から取り外すよう構成されていることを特徴とする遊技機のヒンジ構造。
【請求項２】  請求項１において，上記ロック部材は，上記遊技機の前後方向に沿って形成された上記ピン挿入穴に直交する左右方向にスライドして上記ロック位置と上記ロック解除位置とに移動するよう構成されており，
上記ロック部材における上記ピンロック部は，該ピンロック部の後方側に形成されたピン当接面を有しており，該ピン当接面は，上記左右方向の先端に向けて上記ピンロック部の幅が狭くなるよう傾斜形成されていることを特徴とする遊技機のヒンジ構造。
【請求項３】  請求項１又は２において，上記枠側ヒンジ部材には，上記ロック部材の移動範囲を除き該ロック部材の側方に位置する部分に，該ロック部材の高さと略同一の高さを有する側壁が形成されていることを特徴とする遊技機のヒンジ構造。
【手続補正２】
【補正対象書類名】明細書
【補正対象項目名】０００６
【補正方法】変更
【補正の内容】
【０００６】
【課題の解決手段】
本発明は，枠体と，該枠体に対して開閉可能に配設された開閉扉とを有してなる遊技機のヒンジ構造において，
上記開閉扉は，該開閉扉の上方角部に固定される扉側ヒンジ部材を有しており，該扉側ヒンジ部材は，上記開閉の開閉中心となるヒンジピンを有していると共に，該ヒンジピンの上方先端部には，該ヒンジピンの外径よりも拡径した鍔部が形成されており，
上記枠体は，該枠体の上方角部に固定される枠側ヒンジ部材と，該枠側ヒンジ部材に対して移動可能に配設されたロック部材とを有しており，
上記枠側ヒンジ部材は，上記扉側ヒンジ部材と対向するよう配設されていると共に，略水平方向に伸びた上片部と，該上片部における上記遊技機の前方側の前方端から下方に向けて屈曲した段部と，該段部の下端から上記前方側に向けて延設された下片部とを有しており，
上記下片部には，上記ヒンジピンを挿入配置できるピン挿入穴が形成されていると共に，該ピン挿入穴は，その前方側に上記ヒンジピンの外径よりも大きく上記鍔部の外径よりも小さな幅を有する幅狭部を有しており，
上記段部には，上記ピン挿入穴に連通すると共に，上記鍔部の外径よりも大きな幅を有する段部穴が形成されており，
上記ロック部材は，上記ヒンジピンを上記幅狭部内において回動可能に保持するためのピンロック部を有しており，
かつ，上記ロック部材は，上記下片部の上面において，上記ピンロック部により上記ピン挿入穴内に挿入配置された上記ヒンジピンの進退を妨げるロック位置と，上記ピンロック部による上記ヒンジピンの進退の妨げを解除して，該ヒンジピンを上記ピン挿入穴内において進退可能にするロック解除位置とに移動可能に配設されていると共に，上記ロック位置に向けて上記ロック部材を付勢する付勢バネを有しており，
上記ロック部材を上記ロック解除位置に移動させた後，上記開閉扉を上記枠体の後方側に向けて押し出すことにより，上記ヒンジピンを上記幅狭部内から上記段部穴内へ移動させて，当該開閉扉を上記枠体から取り外すよう構成されていることを特徴とする遊技機のヒンジ構造である（請求項１）。
【手続補正３】
【補正対象書類名】明細書
【補正対象項目名】０００７
【補正方法】変更
【補正の内容】
【０００７】
本発明の遊技機のヒンジ構造は，上記枠体と上記開閉扉との上方角部に配設する枠側ヒンジ部材と扉側ヒンジ部材とに工夫をして，開閉扉にたわみが生じたときでも，安定して開閉扉の開閉を行えるようにしたものである。
すなわち，上記扉側ヒンジ部材には，上記鍔部を上方先端部に備えたヒンジピンを形成した。また，上記枠側ヒンジ部材は，上記上片部，上記段部及び上記下片部を有する屈曲形状に形成した。そして，上記下片部の上面には，上記構成のロック部材を移動可能に配設した。
【手続補正４】
【補正対象書類名】明細書
【補正対象項目名】０００８
【補正方法】変更
【補正の内容】
【０００８】
また，上記下片部には，上記幅狭部を備えた上記ピン挿入穴を形成し，上記段部には，上記ピン挿入穴に連通する段部穴を形成した。これらの穴の形成と上記ロック部材の存在とにより，上記拡径した鍔部を有するヒンジピンは，上記幅狭部との係合状態を安定して維持することができる。
また，上記開閉扉は，上記枠体の後方側に向けて押し出すことにより，上記枠体から取り外すよう構成されている。これにより，上記開閉扉を上記枠体より取り外すことができる。
【手続補正５】
【補正対象書類名】明細書
【補正対象項目名】０００９
【補正方法】変更
【補正の内容】
【０００９】
以下に，上記各構成を有する遊技機のヒンジ構造において，上記開閉扉を上記枠体に取り付ける場合につき説明する。
すなわち，上記開閉扉を上記枠体に取り付けるにあたっては，作業者は，上記開閉扉を操作し，この開閉扉の扉側ヒンジ部材におけるヒンジピンを，上記枠体の枠側ヒンジ部材における段部穴内又はその後方側に配置する。このとき，上記ヒンジピンの鍔部が上記下片部よりも上方に位置するように，上記ヒンジピンを配置しておく。
【手続補正６】
【補正対象書類名】明細書
【補正対象項目名】００１３
【補正方法】変更
【補正の内容】
【００１３】
そのため，例えば，上記開閉扉においてたわみが生じようとしたときには，上記ヒンジピンの鍔部が上記幅狭部の周縁部に掛止され，ヒンジピンが幅狭部から外れてしまうことを防止することができる。
また，このときには，上記鍔部の掛止により，上記開閉扉は，ほとんど下方向にずれることができない。そのため，上記ヒンジピンの鍔部により，開閉扉のたわみを抑制することもできる。
それ故，本発明の遊技機のヒンジ構造によれば，ヒンジピンの外れ防止を行うことができ，ヒンジピンを開閉中心にして開閉扉を滑らかに開閉させることができる。
【手続補正７】
【補正対象書類名】明細書
【補正対象項目名】００２０
【補正方法】変更
【補正の内容】
【００２０】
また，上記付勢バネと上記ロック部材とは，合成樹脂により一体成形されていることが好ましい。
この場合には，上記付勢バネと上記ロック部材とを合わせて１つの部品とすることができる。そのため，付勢バネをロック部材に組み付けるための手間をなくすことができる。また，付勢バネがロック部材から離脱したり，ロック部材に対して位置ずれを起こしたりすることがないため，付勢バネによる付勢力を安定して作用させることができる。
【手続補正８】
【補正対象書類名】明細書
【補正対象項目名】００２１
【補正方法】変更
【補正の内容】
【００２１】
また，上記枠側ヒンジ部材には，上記ロック部材の移動範囲を除き該ロック部材の側方に位置する部分に，該ロック部材の高さと略同一の高さを有する側壁が形成されていることが好ましい（請求項３）。
この場合には，上記側壁の形成により，遊技機において遊技を行う者，又は組付もしくはメンテナンス等を行う作業者が不用意に上記ロック部材に触れて，上記ヒンジピンの回動可能な係合状態を解除してしまうことを防止することができる。また，上記側壁の形成により，何らかの外力による上記ロック部材の破損を防止することもできる。
【手続補正９】
【補正対象書類名】明細書
【補正対象項目名】００２２
【補正方法】変更
【補正の内容】
【００２２】
また，上記ロック部材には，該ロック部材を強制的に移動させる際に触れて操作するための操作部が設けてあることが好ましい。
この場合には，上記開閉扉を上記枠体より取り外す際に，作業者は，上記操作部に触れて上記ロック部材を上記ロック解除位置に移動させることができる。そのため，上記ロック部材のロック解除位置への移動操作を簡単に行うことができる。
【手続補正１０】
【補正対象書類名】明細書
【補正対象項目名】図面の簡単な説明
【補正方法】変更
【補正の内容】
【図面の簡単な説明】
【図１】
実施例における，パチンコ遊技機においてロック部材がロック位置にスライドした状態を示す図で，パチンコ遊技機の上方側から見た状態で示す断面説明図。
【図２】
実施例における，パチンコ遊技機においてロック部材がロック位置にスライドした状態を示す図で，図１０におけるＡ−Ａ線矢視断面説明図。
【図３】
実施例における，パチンコ遊技機においてロック部材がロック位置にスライドした状態を示す図で，図１０におけるＢ−Ｂ線矢視断面説明図。
【図４】
実施例における，パチンコ遊技機においてロック部材がロック位置にスライドした状態を示す図で，図１０におけるＣ−Ｃ線矢視断面説明図。
【図５】
実施例における，パチンコ遊技機において，ヒンジピンがピンロック部のピン当接面に当接しこれを押圧している状態を示す図で，パチンコ遊技機の上方側から見た状態で示す断面説明図。
【図６】
実施例における，パチンコ遊技機において，ヒンジピンがピンロック部のピン当接面を押圧し，ロック部材がロック解除位置までスライドした状態を示す図で，パチンコ遊技機の上方側から見た状態で示す断面説明図。
【図７】
実施例における，パチンコ遊技機において，ロック部材をロック解除位置までスライドさせた状態を示す図で，パチンコ遊技機の上方側から見た状態で示す断面説明図。
【図８】
実施例における，枠側スライド部材とロック部材とを有する枠体を示す図で，パチンコ遊技機の上方側から見た状態で示す上面図。
【図９】
実施例における，扉側スライド部材を有する開閉扉を示す図で，パチンコ遊技機の上方側から見た状態で示す上面図。
【図１０】
実施例における，枠体に開閉扉を取り付けた状態を示す図で，パチンコ遊技機の上方側から見た状態で示す上面図。
【図１１】
実施例における，開閉扉を枠体に対して開放させた状態を示す図で，パチンコ遊技機の上方側から見た状態で示す上面図。
【図１２】
実施例における，パチンコ遊技機を示す図で，パチンコ遊技機の前方側から見た状態で示す正面図。
【図１３】
実施例における，枠側ヒンジ部材に側壁を，ロック部材に操作部を設けたパチンコ遊技機を示す図で，パチンコ遊技機の上方側から見た状態で示す上面図。
【符号の説明】
１．．．遊技機（パチンコ遊技機），
２．．．枠体（外枠），
２１．．．枠側ヒンジ部材，
２１１．．．上片部，
２１２．．．段部，
２１３．．．下片部，
２１４．．．上面，
２２．．．ピン挿入穴，
２２１．．．幅広部，
２２２．．．幅狭部，
２３．．．段部穴，
２５．．．枠側支持部材，
２５１．．．支持ピン，
３．．．開閉扉（前枠），
３１．．．扉側ヒンジ部材，
３２．．．ヒンジピン，
３２１．．．鍔部，
３５．．．扉側支持部材，
３５１．．．ピン保持穴，
４．．．ロック部材，
４１．．．ピンロック部，
４１１．．．ピンロック面，
４１２．．．ピン当接面，
４２．．．付勢バネ，
４４．．．滑止め凹凸部（操作部），
４５．．．側壁，
４０１．．．ロック位置，
４０２．．．ロック解除位置，
４０３．．．妨げ位置，
４０４．．．待避位置，